(57)【要約】　　　（修正有）【課題】コネクタの接続作業工数が多くなり、接続作業が面倒であった。【解決手段】ケーブルが差し込まれたコネクタをねじ込み可能なコネクタ連結部３をＣＡＴＶ機器の筺体４に一体に形成し、コネクタ連結部内にコネクタのテーパーカラーの先端面に形成されている係止部と係止して、テーパーカラーの回転を阻止する回転止め係止部１１を形成した。回転止め係止部をコネクタ接続部内に着脱可能とした。コネクタ連結部内の回転止め係止部の位置を、ＥＩＡＪ　ＲＣ−５２２２Ａの標準型のコネクタを使用できるように設定した。コネクタ連結部にねじ込むコネクタの螺合部と、コネクタを回転させるシェルを一体にして、シェルを回転させるとコネクタがコネクタ連結部内にねじ込まれると共に、ケーブルがコネクタに把持されるようにした。【選択図】図１
2004127589.tif 000002
【特許請求の範囲】
【請求項１】
ケーブル（１）が差し込まれたコネクタ（２）をねじ込み可能な筒状のコネクタ連結部（３）がＣＡＴＶ用機器の筺体（４）と一体に形成され、コネクタ連結部（３）の内周面にコネクタ（２）の螺合部（５）と螺合するネジ（６）が形成され、コネクタ連結部（３）内の中心部にコネクタ（２）の中心コンタクト（３０）を差し込み可能な差し込み孔（８）が形成され、差し込み孔（８）の外周の突き当て面（９）に、コネクタ（２）のテーパーカラー（３１）の先端面の係止部（１０）と係止して、テーパーカラー（３１）の回転を阻止する回転止め係止部（１１）が形成されたことを特徴とするＣＡＴＶ用機器。
【請求項２】
ケーブル（１）が差し込まれたコネクタ（２）をねじ込み可能な筒状のコネクタ連結部（３）がＣＡＴＶ用機器の筺体（４）と一体に形成され、コネクタ連結部（３）の内周面にコネクタ（２）の螺合部（５）と螺合するネジ（６）が形成され、コネクタ連結部（３）内の中心部にコネクタ（２）の中心コンタクト（３０）を差し込み可能な差し込み孔（８）が形成され、コネクタ連結部（３）の内周面でネジ（６）よりも奥に、ネジ（６）よりも内側に突出する係止突子（１２）が形成され、係止突子（１２）の内面外側端部にコネクタ連結部（３）の入口側に向けて外側広がりの圧入受け部（１３）が形成され、圧入受け部（１３）はコネクタ（２）のテーパーカラー（３１）の先端面の圧入部（１４）が圧入するとテーパーカラー（３１）の回転を阻止するものであることを特徴とするＣＡＴＶ用機器。
【請求項３】
ケーブル（１）が差し込まれたコネクタ（２）をねじ込み可能な筒状のコネクタ連結部（３）がＣＡＴＶ用機器の筺体（４）と一体に形成され、コネクタ連結部（３）の内周面にコネクタ（２）の螺合部（５）と螺合するネジ（６）が形成され、コネクタ連結部（３）内の中心部にコネクタ（２）の中心コンタクト（３０）を差し込み可能な差し込み孔（８）が形成され、コネクタ連結部（３）内にそれと別体に形成された回転止め具（１６）が収容され、回転止め具（１６）とコネクタ連結部（３）とに互いに係止して回転止め具（１６）の空転を防止する空転防止部（１７）が形成され、回転止め具（１６）にコネクタ（２）のテーパーカラー（３１）の先端面の係止部（１０）と係止してテーパーカラー（３１）の回転を阻止する回転止め部（２０）が形成されたことを特徴とするＣＡＴＶ用機器。
【請求項４】
請求項３記載のＣＡＴＶ用機器において、回転止め具（１６）がコネクタ連結部（３）内でその軸方向に移動又は伸縮自在であることを特徴とするＣＡＴＶ用機器。
【請求項５】
請求項４記載のＣＡＴＶ用機器において、回転止め具（１６）がリングの一部を切断して二つの切断端部を形成し、一方の切断端部を回転止め具（１６）の板厚方向に突出させて回転止め部（２０）が形成されたものであることを特徴とするＣＡＴＶ用機器。
【請求項６】
ケーブル（１）が差し込まれたコネクタ（２）をねじ込み可能な筒状のコネクタ連結部（３）がＣＡＴＶ用機器の筺体（４）と一体に形成され、コネクタ連結部（３）の内周面にコネクタ（２）の螺合部（５）と螺合するネジ（６）が形成され、コネクタ連結部（３）内の中心部にコネクタ（２）の中心コンタクト（３０）を差し込み可能な差し込み孔（８）が形成され、コネクタ連結部（３）内にそれと別体に形成された係止突子（１２）が収容され、係止突子（１２）の内面外側端部にコネクタ連結部（３）の入口側に向けて外側広がりの圧入受け部（１３）が形成され、圧入受け部（１３）はコネクタ（２）のテーパーカラー（３１）の先端面の圧入部（１４）が圧入するとテーパーカラー（３１）の回転を阻止するものであることを特徴とするＣＡＴＶ用機器。
【請求項７】
請求項６記載のＣＡＴＶ用機器において、係止突子（１２）がコネクタ連結部（３）内でその軸方向に移動自在であることを特徴とするＣＡＴＶ用機器。
【請求項８】
請求項１乃至請求項７のいずれかに記載のＣＡＴＶ用機器において、コネクタ連結部（３）の回転止め係止部（１１）、圧入受け部（１３）、回転止め部（２０）がコネクタ連結部（３）の取付け面（１５）よりも９．９ｍｍ以上奥に形成されたことを特徴とするＣＡＴＶ用機器。
【請求項９】
請求項１乃至請求項８のいずれかに記載のＣＡＴＶ用機器のコネクタ連結部（３）に脱着可能なコネクタ（２）であり、そのコネクタ（２）が、シェル（３２）の回転によりコネクタ連結部（３）にねじ込み可能な螺合部（５）と、螺合部（５）よりも先に突出するテーパーカラー（３１）と、ケーブル（１）を挟着保持可能な挟着機構（３４）を備え、テーパーカラー（３１）の先端面に、コネクタ連結部（３）内の突き当て面（９）の回転止め係止部（１１）に係止してテーパーカラー（３１）の回転を阻止する係止部（１０）が形成されたことを特徴とするＣＡＴＶ機器用コネクタ。
【請求項１０】
請求項１乃至請求項８のいずれかに記載のＣＡＴＶ用機器のコネクタ連結部（３）に脱着可能なコネクタ（２）であり、そのコネクタ（２）が、シェル（３２）の回転によりコネクタ連結部（３）にねじ込み可能な螺合部（５）と、螺合部（５）よりも先に突出するテーパーカラー（３１）と、ケーブル（１）を挟着保持可能な挟着機構（３４）を備え、テーパーカラー（３１）の先端面に、コネクタ連結部（３）内の係止突子（１２）の圧入受け部（１３）に圧入してテーパーカラー（３１）の回転を阻止する圧入部（１４）が形成されたことを特徴とするＣＡＴＶ機器用コネクタ。
【請求項１１】
請求項１乃至請求項８のいずれかに記載のＣＡＴＶ用機器のコネクタ連結部（３）に脱着可能なコネクタ（２）であり、そのコネクタ（２）がシェル（３２）の回転によりコネクタ連結部（３）にねじ込み可能な螺合部（５）と、螺合部（５）よりも先に突出するテーパーカラー（３１）と、ケーブル（１）を挟着保持可能な挟着機構（３４）を備え、テーパーカラー（３１）の先端面に、コネクタ連結部（３）内の回転止め具（１６）の回転止め部（２０）と係止してテーパーカラー（３１）の回転を阻止する係止部（１０）が形成されたことを特徴とするＣＡＴＶ機器用コネクタ。
【請求項１２】
請求項１乃至請求項８のいずれかに記載のＣＡＴＶ用機器のコネクタ連結部（３）に脱着可能なコネクタ（２）であり、そのコネクタ（２）がシェル（３２）の回転によりコネクタ連結部（３）にねじ込み可能な螺合部（５）と、螺合部（５）よりも先に突出するテーパーカラー（３１）と、ケーブル（１）を挟着保持可能な挟着機構（３４）を備え、テーパーカラー（３１）の先端面にコネクタ連結部（３）内の係止突子（１２）の圧入受け部（１３）に圧入してテーパーカラー（３１）の回転を阻止する圧入部（１４）が形成されたことを特徴とするＣＡＴＶ機器用コネクタ。
【発明の詳細な説明】
【０００１】
【発明の属する技術分野】
本発明は同軸ケーブル、光ファイバケーブルといった各種ケーブルを接続するためのコネクタをねじ込んで連結可能なコネクタ連結部を備えたＣＡＴＶ用機器と、そのコネクタ連結部にねじ込んで連結するコネクタとに関するものである。
【０００２】
【従来の技術】
従来から、ＣＡＴＶ機器へのケーブル接続には各種コネクタが用いられている。そのコネクタの一つに図９に示すコネクタ（雄コネクタ）がある。このコネクタは回転可能なシェルＡ、それとは別に回転可能な締付金具Ｂを備え、それらの内側に中心コンタクトＣ、バックアップリングＤ、スリーブＥ、ワッシャーＦ、クランプＧ、テーパークランプＨ、クランプＩ、ガスケットＪ等などのケーブル保持機構が備えられている。図９のコネクタをＣＡＴＶ機器側のコネクタ連結部（雌コネクタ）に連結するには、図８のケーブルの中心導体ａを図９のコネクタの中心コンタクトＣ内に差し込んだ状態でコネクタのシェルＡを回転させて、先端の螺子部Ｋを前記コネクタ連結部にねじ込む。また、コネクタの締付金具Ｂを回転させてコネクタ内部のケーブル保持機構によりケーブルの外被ｄを挟着保持してケーブルがコネクタから抜けないようにすると共に、ケーブルの中心導体ａ及び外部導体ｂと前記コネクタ差込部との電気的な接触を確保する。前記ケーブルは図８のように中心導体ａ、絶縁材ｃ、外部導体ｂ、外被ｄを備えている。
【０００３】
図９のコネクタは、シェルＡを回転させてコネクタ先端の螺子部Ｋを前記コネクタ差込部にねじ込む作業と、締付金具Ｂを回転させてコネクタ内部のケーブル保持機構によりケーブルの外被ｄを挟着保持する作業とが別々であるため、ＣＡＴＶ用機器へのケーブルの接続作業が面倒であった。また、締付金具Ｂを回転させるとケーブル保持機構も回転するため、その回転力によりコネクタに差し込んであるケーブルが捩れてケーブルの接続が不安定になったり、ケーブルの捩れが戻ろうとする力によりケーブルの挟着保持力が低下してケーブルが抜けることもあった。また、ケーブルの捩れによりケーブルの電気特性が歪み、ＣＡＴＶシステムの電気特性に悪影響が及ぶという難点があった。後者の難点を解消するため、従来は、締付金具を回転させてもケーブル保持機構が回転しないようにした回転止め機構を備えたコネクタが開発されている（例えば、特許文献１）。
【０００４】
【特許文献１】
特願平６−８２６６号（特開平７−２１１３９９号公報）
【０００５】
【発明が解決しようとする課題】
前記特許文献１のコネクタは回転止め機構があるためケーブルの捩れを解消することはできるが、シェルを回転させてコネクタ先端の螺子部をコネクタ差込部にねじ込む作業と、締付金具を回転させてコネクタ内部のケーブル保持機構によりケーブルの外被を挟着保持する作業とは別々であるため、ＣＡＴＶ機器へのケーブルの接続作業が面倒であるという難点は解消されていない。また、回転止め機構の一部がＣＡＴＶ機器ともコネクタとも別体に形成されているため、構造が複雑になり、ケーブル接続作業が煩雑になるという新たな難点もあった。
【０００６】
【課題を解決するための手段】
本願発明は回転止め機構を設けてケーブルの捩れ、ケーブル把持の緩み、ケーブルの抜けを解消し、しかも、回転止め機構の構造が簡潔であり、コネクタ連結部へのコネクタの連結と、コネクタへのケーブルの挟着保持とをワンッタチ操作で可能として、コネクタ連結部へのケーブル接続作業を容易にしたＣＡＴＶ用機器とそれに連結する接続コネクタとを提供するものである。また、ＥＩＡＪ規格（日本電子機械工業会規格）のコネクタもそれ以外のコネクタも連結可能としたものである。
【０００７】
本願発明の請求項１のＣＡＴＶ用機器は、図１のように、ケーブル１が差し込まれたコネクタ２をねじ込み可能な筒状のコネクタ連結部３がＣＡＴＶ用機器の筺体４と一体に形成され、コネクタ連結部３の内周面にコネクタ２の螺合部５と螺合するネジ６が形成され、コネクタ連結部３内の中心部にコネクタ２の中心コンタクト３０を差し込み可能な差し込み孔８が形成され、差し込み孔８の外周の突き当て面９に、コネクタ２のテーパーカラー３１の先端面の係止部１０と係止して、テーパーカラー３１の回転を阻止する回転止め係止部１１が形成されたものである。
【０００８】
本願発明の請求項２のＣＡＴＶ用機器は、図３のように、ケーブル１が差し込まれたコネクタ２をねじ込み可能な筒状のコネクタ連結部３がＣＡＴＶ用機器の筺体４と一体に形成され、コネクタ連結部３の内周面にコネクタ２の螺合部５と螺合するネジ６が形成され、コネクタ連結部３内の中心部にコネクタ２の中心コンタクト３０を差し込み可能な差し込み孔８が形成され、コネクタ連結部３の内周面でネジ６よりも奥に、ネジ６よりも内側に突出する係止突子１２が形成され、係止突子１２の内面外側端部にコネクタ連結部３の入口側に向けて外側広がりの圧入受け部１３が形成され、圧入受け部１３はコネクタ２のテーパーカラー３１の先端面の圧入部１４が圧入するとテーパーカラー３１の回転を阻止するものである。
【０００９】
本願発明の請求項３のＣＡＴＶ用機器は、図４のように、ケーブル１が差し込まれたコネクタ２をねじ込み可能な筒状のコネクタ連結部３がＣＡＴＶ用機器の筺体４と一体に形成され、コネクタ連結部３の内周面にコネクタ２の螺合部５と螺合するネジ６が形成され、コネクタ連結部３内の中心部にコネクタ２の中心コンタクト３０を差し込み可能な差し込み孔８が形成され、コネクタ連結部３内にそれと別体に形成された回転止め具１６が収容され、回転止め具１６とコネクタ連結部３とに互いに係止して回転止め具１６の空転を防止する空転防止部１７が形成され、回転止め具１６にコネクタ２のテーパーカラー３１の先端面の係止部１０と係止してテーパーカラー３１の回転を阻止する回転止め部２０が形成されたものである。
【００１０】
本願発明の請求項４のＣＡＴＶ用機器は、請求項３記載のＣＡＴＶ用機器において、図４のように、回転止め具１６がコネクタ連結部３内でその軸方向に移動又は伸縮自在なものである。
【００１１】
本願発明の請求項５のＣＡＴＶ用機器は、請求項４記載のＣＡＴＶ用機器において、図５のように、回転止め具１６がリングの一部を切断して二つの切断端部を形成し、一方の切断端部を回転止め具１６の板厚方向に突出させて回転止め部２０が形成されたものである。
【００１２】
本願発明の請求項６のＣＡＴＶ用機器は、ケーブル１が差し込まれたコネクタ２をねじ込み可能な筒状のコネクタ連結部３がＣＡＴＶ用機器の筺体４と一体に形成され、コネクタ連結部３の内周面にコネクタ２の螺合部５と螺合するネジ６が形成され、コネクタ連結部３内の中心部にコネクタ２の中心コンタクト３０を差し込み可能な差し込み孔８が形成され、コネクタ連結部３内にそれと別体に形成された係止突子１２が収容され、係止突子１２の内面外側端部にコネクタ連結部３の入口側に向けて外側広がりの圧入受け部１３が形成され、圧入受け部１３はコネクタ２のテーパーカラー３１の先端面の圧入部１４が圧入するとテーパーカラー３１の回転を阻止するものである。
【００１３】
本願発明の請求項７のＣＡＴＶ用機器は、請求項６記載のＣＡＴＶ用機器において、係止突子１２がコネクタ連結部３内でその軸方向に移動自在なものである。
【００１４】
本願発明の請求項８のＣＡＴＶ用機器は、請求項１乃至請求項７のいずれかに記載のＣＡＴＶ用機器において、コネクタ連結部３の回転止め係止部１１（図１）、圧入受け部１３（図３）、回転止め部２０（図４）がコネクタ連結部３の取付け面１５よりも９．９ｍｍ以上奥に形成されたものである。
【００１５】
本願発明の請求項９のＣＡＴＶ機器用コネクタは、請求項１乃至請求項８のいずれかに記載のＣＡＴＶ用機器のコネクタ連結部３に脱着可能なコネクタ２であり、そのコネクタ２が図７のように、シェル３２の回転によりコネクタ連結部３にねじ込み可能な螺合部５と、螺合部５よりも先に突出するテーパーカラー３１と、ケーブル１を挟着保持可能な挟着機構３４を備え、図７のようにテーパーカラー３１の先端面に、コネクタ連結部３内の突き当て面９の回転止め係止部１１に係止してテーパーカラー３１の回転を阻止する係止部１０が形成されたものである。
【００１６】
本願発明の請求項１０のＣＡＴＶ機器用コネクタは、請求項１乃至請求項８のいずれかに記載のＣＡＴＶ用機器のコネクタ連結部３に脱着可能なコネクタ２であり、そのコネクタ２が図７のように、シェル３２の回転によりコネクタ連結部３にねじ込み可能な螺合部５と、螺合部５よりも先に突出するテーパーカラー３１と、ケーブル１を挟着保持可能な挟着機構３４を備え、図７のようにテーパーカラー３１の先端面に、コネクタ連結部３内の係止突子１２の圧入受け部１３に圧入してテーパーカラー３１の回転を阻止する圧入部１４が形成されたものである。
【００１７】
本願発明の請求項１１のＣＡＴＶ機器用コネクタは、請求項１乃至請求項８のいずれかに記載のＣＡＴＶ用機器のコネクタ連結部３に脱着可能なコネクタ２であり、そのコネクタ２が図７のように、シェル３２の回転によりコネクタ連結部３にねじ込み可能な螺合部５と、螺合部５よりも先に突出するテーパーカラー３１と、ケーブル１を挟着保持可能な挟着機構３４を備え、テーパーカラー３１の先端面に、図４のようにコネクタ連結部３内の回転止め具１６の回転止め部２０と係止してテーパーカラー３１の回転を阻止する係止部１０が形成されたものである。
【００１８】
本願発明の請求項１２のＣＡＴＶ機器用コネクタは、請求項１乃至請求項８のいずれかに記載のＣＡＴＶ用機器のコネクタ連結部３に脱着可能なコネクタ２であり、そのコネクタ２が、シェル３２の回転によりコネクタ連結部３にねじ込み可能な螺合部５と、螺合部５よりも先に突出するテーパーカラー３１と、ケーブル１を挟着保持可能な挟着機構３４を備え、テーパーカラー３１の先端面にコネクタ連結部３内の係止突子１２の圧入受け部１３に圧入してテーパーカラー３１の回転を阻止する圧入部１４が形成されたものである。
【００１９】
【発明の実施の形態１】
本願発明のＣＡＴＶ用機器の第１の実施形態を図１、図２に基づいて説明する。図１に示すものはコネクタ連結部３であり、それはＣＡＴＶ用機器の筺体４から外側に突出するように筺体４と一体に形成されている。このコネクタ連結部３は図２のようにケーブル１が差し込まれたコネクタ２をねじ込んで連結することができるように円筒状としてある。又、コネクタ連結部３にコネクタ２をねじ込むとケーブル１がコネクタ２内のテーパーカラー３１の内側の挟着機構に把持（挟着保持）されて固定され、コネクタ２の中心コンタクト３０（図２）がコネクタ連結部３の差し込み孔８に差し込まれて、ケーブル１の中心導体ａ及び外部導体ｂとＣＡＴＶ機器内の電気回路との電気的接触が確保されるようにしてある。
【００２０】
図１のコネクタ連結部３は円筒状であり、その内周面にコネクタ２の差込部の外周のネジ５と螺合するネジ６が形成され、コネクタ連結部３内の中心部にコネクタの中心コンタクト３０を差し込み可能な差し込み孔８が形成され、差し込み孔８の外周の突き当て面９に四つの回転止め係止部１１が周方向に階段状に凹凸に形成されている。この回転止め係止部１１はコネクタ２のテーパーカラー３１（図２）の先端面に形成されている四つの係止部１０と係止してテーパーカラー３１の回転を阻止するためのものである。回転止め係止部１１の数は四つに限らず任意の数にすることができるが、テーパーカラー３１の係止部１０の数に合わせるとテーパーカラー３１との係止が確実になる。
【００２１】
図１の回転止め係止部１１はコネクタ連結部３の取付け面１５よりも１０ｍｍ±０．１以上（９．９ｍｍ以上）奥に形成してある。このようにすると、図２のようにテーパーカラー３１に係止部１０が形成されているコネクタ２を、コネクタ連結部３に差し込んで連結することができるだけでなく、図６に示す日本電子機器工業会規格（ＥＩＡＪ　ＲＣ−５２２２Ａ）のコネクタ２をねじ込むこともできる。ちなみに、図６のコネクタ２はその取付け面２１からネジ部先端面２２までの長さが１０．０ｍｍ±０．１となっている。
【００２２】
図１のコネクタ連結部３に連結される図２のコネクタ２の内部構造を図７に示す。図７のコネクタ２は中心コンタクト３０、絶縁物３６、テーパーカラー３１、押さえリング３７、Ｏリング３８、シェル３９、スリーブ４０、第一のテーパーリング４１、クランプ４２、第二のテーパーリング４３、Ｏリング４４、Ｏリング４５、ワッシャー４６、ガスケット４７、シェル押さえ４８、Ｏリング４９、螺合部５を備えている。テーパーカラー３１の先端に係止部１０が形成されている。前記ワッシャー４６、ガスケット４７、第二のテーパーリング４３、クランプ４２、第一のテーパーリング４１によりケーブル１の外部導体ｂを挟着保持する挟着機構３４が構成されている。
【００２３】
前記係止部１０は図２に示すように周方向に階段状に凸凹に形成されて、図１のようにコネクタ連結部３に階段状に凹凸に形成されている回転止め係止部１１に係止できるようにしてある。このコネクタ２に差し込まれるケーブル１は図８のように中心導体ａ、外部導体ｂ、絶縁材ｃ、外被ｄを備えている。
【００２４】
図９の構造のコネクタ２（図２）によりケーブル１をＣＡＴＶ用機器のコネクタ連結部３（図１）に連結するには、ケーブル１の中心導体ａをコネクタ２の中心コンタクト３０内に差し込み、ケーブル１の外部導体ｂをコネクタのクランプ４２の内側に差し込んでおく。その状態でコネクタ２のシェル３９を回転させてコネクタ２の螺合部５をコネクタ連結部３にねじ込む。このとき、図７の挟着機構３４を構成するガスケット４７―ワッシャー４６―第二のテーパーリング４３が内側に押され、第二のテーパーリング４３の斜面５０によりクランプ４２が先方に押され、クランプ４２の前方斜面５１が第一のテーパーリング４１の斜面５２で内側に押され、スリットが形成されているクランプ４２が縮径されて、その内側に配置されているケーブル１の外部導体ｂが把持（挟着保持）され、ケーブル１がコネクタ２に固定される。同時に、ケーブル１がＣＡＴＶ機器のケーブル取付け部に取付けられて、ケーブル１とＣＡＴＶ用機器との電気的な接触が保持される。この場合、コネクタ連結部３にねじ込まれるコネクタ２のテーパーカラー３１の先端面に形成されている係止部１０（図２）が、コネクタ連結部３の回転止め係止部１１（図１）に係止してテーパーカラー３１が回転しないため、テーパーカラー３１の回転力がケーブル１に伝わらず、ケーブル１が捩れない。また、テーパーカラー３１に無理な力が加わらず、ケーブル１の接続が不安定になることもない。ケーブル１の捩れが戻ろうとする力がテーパーカラー３１に伝わることもなく、挟着機構３４によるケーブル把持力が低下せず、ケーブル１が確実に保持される。
【００２５】
【発明の実施の形態２】
本願発明のＣＡＴＶ用機器の第２の実施形態を図３に基づいて説明する。図３に示すものはＣＡＴＶ用機器の筺体４から外側に突出するように筺体４と一体に形成されたコネクタ連結部３と、そのコネクタ連結部３に連結されるコネクタ２のテーパーカラー３１の説明図である。図３のコネクタ連結部３も筐体４に一体に成形されており、図２のようにケーブル１が差し込まれたコネクタ２をねじ込んで連結することができる構造にしてある。
【００２６】
図３のコネクタ連結部３も筒状であり、内周面にコネクタ２の螺合部５（図２）と螺合するネジ６が形成されている。コネクタ連結部３の内周面でネジ６よりも奥方には、ネジ６よりも中心側に突出する係止突子１２が形成され、係止突子１２の内周面外側端部に圧入受け部１３が形成されている。圧入受け部１３は外側（コネクタ連結部３の入り口側）に向けて外側広がりに形成されており、図３に示すコネクタのテーパーカラー３１の先端面のリング状の圧入部１４が圧入して、コネクタ２のねじ込み時にテーパーカラー３１の回転が阻止されるようにしてある。
【００２７】
図３の圧入受け部１３もコネクタ連結部３の取付け面１５よりも１０ｍｍ±０．１以上（９．９ｍｍ以上）奥に形成してある。このようにすると、圧入部１４が形成されているテーパーカラー３１を備えたコネクタ２をコネクタ連結部３に差し込んで連結することができるだけでなく、図６に示すコネクタ２をねじ込むこともできる。
【００２８】
図３のテーパーカラー３１は、図９のコネクタ２と同様にシェル３９の内側に配置されている。このテーパーカラー３１の基本的構造は図７に示すテーパーカラー３１の構造と同じであり、異なるのは先端に圧入部１４が形成されていることである。図３の圧入部１４は先端側に向けて下り傾斜のテーパに形成して、図３のコネクタ連結部３の受け部１３に圧入できるようにしてある。
【００２９】
図３のコネクタ連結部３に図３のテーパーカラー３１を備えたコネクタ２を連結するには、コネクタ２の螺合部５（図２）をコネクタ連結部３のネジ６に螺合し、その状態でコネクタ２のシェル３９を回転させて螺合部５をコネクタ連結部３内にねじ込む。この場合もコネクタ２のねじ込みによりケーブル１がコネクタ２のテーパーカラー３１の内側の挟着機構３４（図７）により把持（挟着保持）されて固定される。コネクタ２のねじ込みが進むとテーパーカラー３１の先端の圧入部１４がコネクタ連結部３の圧入受け部１３の内側に圧入して両者が密接して固定されるため、その後にコネクタ２を更に回転させてコネクタ２をコネクタ連結部３内に更にねじ込んでもテーパーカラー３１の回転は阻止される。このため、挟着機構３４（図７）により把持されているケーブルが捩れることがなく、ケーブルの捩れが戻ろうとする力がテーパーカラー３１に伝わることも無いため、テーパーカラー３１の内側のケーブル把持力が低下してケーブルが抜けるとこともない。
【００３０】
【発明の実施の形態３】
本願発明のＣＡＴＶ用機器の第３の実施形態を図４に基づいて説明する。図４に示すものは、ＣＡＴＶ用機器の筐体に一体に形成されたコネクタ連結部３の内側に、コネクタ連結部３と別体に形成された回転止め具１６を収容したものである。このコネクタ連結部３にも図２のようにケーブル１が差し込まれたコネクタ２をねじ込んで連結することができる。コネクタ２のねじ込みによりケーブル１がコネクタ２に把持されて固定され、コネクタ２の中心コンタクト３０（図２）がコネクタ連結部３の差し込み孔（図示されていない）に差し込まれて、ケーブルの中心導体及び外部導体とＣＡＴＶ用機器内の電気回路との電気的接触が確保されるようにしてある。
【００３１】
図４のコネクタ連結部３の内周面にも、コネクタ２の螺合部５と螺合するネジ６が形成されている。また、コネクタ連結部３の内周面には四本の空転防止部１７が形成されている。この空転防止部１７はコネクタ連結部３の奥から取付け面１５に開口している細長の溝１８である。コネクタ連結部３内の奥の中心部にはコネクタの中心コンタクト３０を差し込み可能な差し込み孔（図示せず）が形成されている。
【００３２】
図４のコネクタ連結部３の内側に収容される回転止め具１６はリング状に形成され、その外周面に四つの空転防止部１７（突起１９）が突設され、前面に四つの回転止め部２０が突設されている。この回転止め部２０もコネクタ２のテーパーカラー３１（図２）の先端面に形成されている四つの係止突子１２と係止してテーパーカラー３１の回転を阻止するためのものである。回転止め部２０の数は四つに限らず任意の数にすることができるが、テーパーカラー３１の係止部１０の数に合わせるとテーパーカラー３１との係止が確実になる。
【００３３】
図４の空転防止部１７は溝１８と突起１９とが互いに係止して、回転止め具１６の空転を防止するためのものであるため、回転止め具１６の空転を防止できるものであれば図示した構造（溝１８と突起１９）に限られず、どのような形状、構造ものでもよいが、例えば、図４とは逆に、コネクタ連結部３の空転防止部１７を突起、回転止め具１６の空転防止部１７を溝とすることもできる。
【００３４】
図４の空転防止部１７（溝１８）の深さは、それに嵌入した回転止め具１６をその溝１８の奥まで押し込んだときの係止突子１０の前面位置がコネクタ連結部３の取付け面１５よりも１０ｍｍ±０．１以上（９．９ｍｍ以上）奥になるようにしてある。このようにすると図２のようにテーパーカラー３１に係止部１０が形成されているコネクタ２をコネクタ連結部３に差し込んで連結することができるだけでなく、図６に示すＥＩＡＪ規格のコネクタ２をねじ込むこともできる。
【００３５】
図４のコネクタ連結部３に図２のようにケーブル１が差し込まれたコネクタ２を連結するには、コネクタ連結部３内に回転止め具１６を収容する。この場合、回転止め具１６の空転防止部１７（突起１９）をコネクタ連結部３の空転防止部１７（溝１８）内に嵌入して、回転止め具１６がコネクタ連結部３の手前から奥にスライドできるようにしておく。この状態でコネクタ２の先端部をコネクタ連結部３に差し込み、コネクタ２のネジ５（図２）をコネクタ連結部３のネジ６に螺合してコネクタ２をコネクタ連結部３内にねじ込む。この場合、コネクタ２のねじ込みによりケーブル１がコネクタ２内の挟着機構３４（図７）により把持されて固定される。コネクタ２のねじ込みが進むと回転止め具１６が溝１８に沿ってコネクタ連結部３の奥にスライドし、スライドが進行してコネクタ連結部３の奥に突き当たると、テーパーカラー３１の係止部１０が回転止め具１６の回転止め部２０に係止するため、その後に更にコネクタ２を回転させてコネクタ２をコネクタ連結部３内にねじ込んでもテーパーカラー３１は回転が阻止される。このため、テーパーカラー３１の内側の挟着機構３４により把持されているケーブルが捩れることがなく、ケーブルの捩れが戻ろうとする力がテーパーカラー３１に伝わることもないため、テーパーカラー３１によるケーブル把持力が低下してケーブルが抜けるとこともない。
【００３６】
【発明の実施の形態４】
本願発明のＣＡＴＶ機器の第４の実施形態を図５に基づいて説明する。図５に示すものは図４の回転止め具１６の変形である。図５の回転止め具１６はリングの外周面に四つの空転防止部１７（突起１９）が突設され、周方向の一箇所を切断し、その切断端部の一方を外側に突き出させて突出端面を回転止め部２０としてある。この回転止め部２０はコネクタ２のテーパーカラー３１（図２）の先端面に形成されている四つの係止突子１２の何れかと係止してテーパーカラー３１の回転を阻止することができる。この回転止め具１６は基本的にはスプリングワッシャーと同じ構造であるため、回転止め部２０がその突出方向と反対方向とに伸縮可能なスプリング性を備えている。
【００３７】
図５の空転防止部１７（突起１９）は図４に示すコネクタ連結部３の空転防止部１７（溝１８）に嵌入して回転止め具１６の空転を防止するものであるため、空転防止部１７の溝１８と突起１９とは回転止め具１６の空転を防止できるものであれば図示した構造に限られず、どのようなものでもよいが、例えば、図４、図５とは逆に、コネクタ連結部３の空転防止部１７を突起、回転止め具１６の空転防止部１７を溝とすることもできる。
【００３８】
図５の回転止め具１６を空転防止部１７の溝１８の奥まで押し込んだときも、回転止め具１６の係止突子１０の前面位置はコネクタ連結部３の取付け面１５よりも１０ｍｍ±０．１以上（９．９ｍｍ以上）奥になるようにする。このようにすると図２のようにテーパーカラー３１に係止部１０が形成されているコネクタ２をコネクタ連結部３に差し込んで連結することができるだけでなく、図６のＥＩＡＪ規格のコネクタをねじ込むこともできる。
【００３９】
【発明の実施の形態５】
図３ではコネクタ連結部３の内側に中心側に突出する係止突子１２が一体に形成され、係止突子１２の内周面外側端部に圧入受け部１３が形成されているが、係止突子１２はコネクタ連結部３と別体に形成して、図４の回転止め具１６と同様にコネクタ連結部３内に挿入できるようにすることもできる。この場合、係止突子１２はリング状に形成し、その先端部内側内周面に圧入受け部１３を形成して、テーパーカラー３１の圧入部１４を圧入できるようにする。また、係止突子１２はコネクタ連結部３内に挿入されても空転しないようにするため、図４の回転止め具１６のように、リング状の係止突子１２の外周面に数個の空転防止突起を突設し、それをコネクタ連結部３内の形成される溝に嵌入する。この係止突子１２は溝に沿って入り口側から奥へ押し込まれるが空転はしない。また、最も奥まで押し込まれたときに圧入受け部１３がコネクタ連結部３の取付け面１５よりも１０ｍｍ±０．１以上（９．９ｍｍ以上）奥になるようにする。このようにすると、圧入部１４が形成されているテーパーカラー３１を備えたコネクタ２をコネクタ連結部３に差し込んで連結することができるだけでなく、図６に示すＥＩＡＪ規格のコネクタ２をねじ込むこともできる。
【００４０】
【発明の効果】
本願発明の請求項１のＣＡＴＶ機器は、ＣＡＴＶ機器の筺体と一体に形成された筒状のコネクタ連結部の内側奥に回転止め係止部を形成し、コネクタ連結部にコネクタをねじ込むとコネクタのテーパーカラーの先端面の係止部と係止するようにしたので、コネクタを回転させてコネクタ連結部にねじ込んでもテーパーカラーが回転せず、ケーブルが捩れず、ケーブルの捩れが戻ろうとする力も発生せず、ケーブルが安定する。また、コネクタの構造が簡潔になる。
【００４１】
本願発明の請求項２のＣＡＴＶ機器は、コネクタ連結部の内周面に係止突子を形成し、それに受け部を形成し、コネクタ連結部にコネクタをねじ込むとコネクタのテーパーカラーの先端面の圧入部が前記受け部に圧入するようにしたので、コネクタを回転させてコネクタ連結部にねじ込んでもテーパーカラーの回転が阻止され、ケーブルが捩れず、ケーブルの捩れが戻ろうとする力も発生せず、ケーブルが安定する。また、コネクタの構造が簡潔になる。
【００４２】
本願発明の請求項３のＣＡＴＶ機器は、コネクタ連結部内にそれと別体に形成された回転止め具が収容され、回転止め具にコネクタのテーパーカラーの係止部と係止してテーパーカラーの回転を阻止する回転止め部が形成されているので、コネクタ連結部内にテーパーカラーの回転を阻止する回転止め部を形成しなくとも請求項１、２のＣＡＴＶ機器と同様の効果が得られる。
【００４３】
本願発明の請求項４のＣＡＴＶ機器は、請求項３記載のＣＡＴＶ用機器において、回転止め具がコネクタ連結部の軸方向に移動又は伸縮自在なものであるため、回転止め具が移動するものである場合は、コネクタをねじ込むと回転止め具が奥に押し込まれてコネクタ連結部へのコネクタの連結が確実になる。しかも、回転止め具が所定位置まで押し込まれてからコネクタを更にねじ込むと回転止め具がそれ以上は押し込まれなくなり、回転止め具とテーパーカラーの係止が確実になり、テーパーカラーの回転が確実に阻止され、ケーブルが捩れず、ケーブルの捩れが戻ろうとする力も発生せず、ケーブルが安定する。又、回転止め具が伸縮するものである場合は、コネクタをねじ込むと回転止め具が圧縮されるため、コネクタ連結部へのコネクタの連結が確実になる。しかも、回転止め具が圧縮限度まで圧縮されても更にコネクタをねじ込むと、回転止め具とテーパーカラーの係止が確実になり、テーパーカラーの回転が確実に阻止されるため、回転止め具が移動するものである場合と同様の効果がある。
【００４４】
本願発明の請求項５のＣＡＴＶ機器は、請求項４記載のＣＡＴＶ用機器において、回転止め具がリング状の板の一部を切断し、一方の切断端部を回転止め具の板厚方向に突出させて回転止め部を形成したものであるため、回転止め具に伸縮性（バネ性）が生じ、請求項４のＣＡＴＶ機器の回転止め具が伸縮性のあるものの場合と同様の効果が得られる。
【００４５】
本願発明の請求項６のＣＡＴＶ用機器は、コネクタ連結部内にそれと別体に形成された係止具を収容し、係止具の内面外側端部にコネクタ連結部の入口側に向けて外側広がりの圧入受け部が形成され、圧入受け部はコネクタのテーパーカラーの先端面の圧入部が圧入するとテーパーカラーの回転を阻止するようにしたので、コネクタ連結部内にテーパーカラーの回転を阻止する圧入受け部を形成しなくとも請求項２のＣＡＴＶ機器と同様の効果が得られる。
【００４６】
本願発明の請求項７のＣＡＴＶ用機器は、コネクタ連結部と別体に形成された係止具がコネクタ連結部３内でその軸方向に移動自在であるため、コネクタをねじ込むと係止具が奥に押し込まれてコネクタ連結部へのコネクタの連結が確実になる。しかも、係止具が所定位置まで押し込まれてからコネクタを更にねじ込むと係止具がそれ以上は押し込まれなくなり、係止具とテーパーカラーの係止が確実になり、テーパーカラーの回転が確実に阻止され、ケーブルが捩れず、ケーブルの捩れが戻ろうとする力も発生せず、ケーブルが安定する。
【００４７】
本願発明の請求項８のＣＡＴＶ用機器は、コネクタ連結部の回転止め係止部、圧入受け部、回転止め部がコネクタ連結部の取付け面よりも９．９ｍｍ以上奥に形成されたので、コネクタ連結部に日本電子機器工業会規格（ＥＩＡＪ　ＲＣ−５２２２Ａ）のコネクタをねじ込むことも、他の規格のねじをねじ込むこともでき、便利である。
【００４８】
本願発明の請求項９のコネクタは、シェルの回転によりコネクタ連結部にねじ込み可能な螺合部と、螺合部よりも先に突出するテーパーカラーと、ケーブルを挟着保持可能な挟着機構を備え、テーパーカラーの先端面に、コネクタ連結部内の回転止め係止部に係止してテーパーカラーの回転を阻止する係止部が形成されたので、コネクタのシェルを回転させてコネクタ連結部にねじ込むだけでケーブルをコネクタに挟着保持することもできるため、接続作業の工数が少なくなり、接続作業が容易になる。
【００４９】
本願発明の請求項１０のコネクタは、シェルの回転によりコネクタ連結部にねじ込み可能な螺合部と、螺合部よりも先に突出するテーパーカラーと、ケーブルを挟着保持可能な挟着機構を備え、テーパーカラーの先端面に、コネクタ連結部内の係止具の圧入受け部に圧入してテーパーカラーの回転を阻止する圧入部が形成されたので、コネクタのシェルを回転させてコネクタ連結部にねじ込むだけでケーブルをコネクタに挟着保持することもできるため、接続作業の工数が少なくなり、接続作業が容易になる。
【００５０】
本願発明の請求項１１のコネクタは、コネクタがシェルの回転によりコネクタ連結部にねじ込み可能な螺合部と、螺合部よりも先に突出するテーパーカラーと、ケーブルを挟着保持可能な挟着機構を備え、テーパーカラーの先端面に、コネクタ連結部内の回転止め具の回転止め部と係止してテーパーカラーの回転を阻止する係止部が形成されたので、コネクタのシェルを回転させてコネクタ連結部にねじ込むだけでケーブルをコネクタに挟着保持することもできるため、接続作業の工数が少なくなり、接続作業が容易になる。
【００５１】
本願発明の請求項１２のコネクタは、コネクタが、シェルの回転によりコネクタ連結部にねじ込み可能な螺合部と、螺合部よりも先に突出するテーパーカラーと、ケーブルを挟着保持可能な挟着機構を備え、テーパーカラーの先端面にコネクタ連結部内の係止具の圧入受け部に圧入してテーパーカラーの回転を阻止する圧入部が形成されたので、コネクタのシェルを回転させてコネクタ連結部にねじ込むだけでケーブルをコネクタに挟着保持することもできるため、接続作業の工数が少なくなり、接続作業が容易になる。
【図面の簡単な説明】
【図１】本願発明のＣＡＴＶ機器の一例を示す部分斜視図。
【図２】本願発明のＣＡＴＶ機器のコネクタ連結部へねじ込むコネクタの第１の例を示す斜視図。
【図３】本願発明のＣＡＴＶ機器の第２の例を示す上半部縦断の側面図。
【図４】本願発明のＣＡＴＶ機器の第３の例の斜視図。
【図５】本願発明のＣＡＴＶ機器における回転係止具の他の例を示す斜視図。
【図６】ＥＩＡＪ規格の高周波同軸Ｃ１４形コネクタの上半部縦断の側面図。
【図７】本発明のコネクタの上半部縦断の側面図。
【図８】従来のＦＴ形コネクタの上半部縦断の側面図。
【図９】ケーブルの縦断側面図。
【符号の説明】
１　ケーブル
２　コネクタ
３　コネクタ連結部
４　ＣＡＴＶ機器の筺体
５　コネクタの螺合部
６　コネクタ連結部のネジ
８　差し込み孔
９　突き当て面
１０　テーパーカラーの係止部
１１　回転止め係止部
１２　係止突子
１３　圧入受け部
１４　テーパーカラー圧入部
１５　コネクタ連結部の取付け面
１６　回転止め具
１７　空転防止部
１８　溝
１９　突起
２０　回転止め具の回転止め部
３０　中心コンタクト
３１　テーパーカラー
３２　シェル
３４　挟着機構
【図１】
2004127589.tif 000003
【図２】
2004127589.tif 000004
【図３】
2004127589.tif 000005
【図４】
2004127589.tif 000006
【図５】
2004127589.tif 000007
【図６】
2004127589.tif 000008
【図７】
2004127589.tif 000009
【図８】
2004127589.tif 000010
【図９】
2004127589.tif 000011